(57)【要約】  シート（４）は、互いに個別に作られていて、相互に取外し自在に接続されるフレーム（８）と座部（１２）とを有している。フレーム（８）は、少なくとも一つの側方プレート（２４）を有し、座部（１２）は、組立状態において、側方プレート（２４）に少なくとも部分的に形状カップリングで接続される少なくとも一つのタブ（２８）を有している。シート（４）の組立状態において、座部（１２）をフレーム（８）に固定させるようにプレート（２４）とタブ（２８）との関係で可撓性を有するスナップカップリング要素（３２）が、少なくとも一つのタブ（２８）と少なくとも一つの側方プレート（２４）との間に位置決めされている。
2013503678.tif 000002
【特許請求の範囲】
【請求項１】
座部（１２）と、前記座部（１２）を支持することが可能で、脚部の如き少なくとも一つ支持体（１６）を備えたフレーム（８）を有し、前記座部（１２）と前記フレーム（８）とが互いに個別に作られていて、相互に取外し自在に接続されるようになっているシート（４）において、
前記フレーム（８）が、少なくとも一つの側方プレート（２４）を有し、
前記座部（１２）が、組立状態において、前記側方プレート（２４）に少なくとも部分的に形状カップリングで引っ掛けられる少なくとも一つのタブ（２８）を有し、
シート（４）の組立状態において前記座部（１２）を前記フレーム（８）に固定させるように前記プレート（２４）と前記タブ（２８）との関係で可撓性を有するスナップカップリング要素（３２）が、前記少なくとも一つのタブ（２８）と前記少なくとも一つの側方プレート（２４）との間に位置決めされることを特徴とするシート（４）。
【請求項２】
前記少なくとも一つのプレート（２４）が、該プレート（２４）と前記タブ（２８）との関係で可撓性を有する前記スナップカップリング要素（３２）を有し、前記タブ（２８）が、シート（４）の組立状態において前記座部（１２）を前記フレーム（８）に固定させるように前記プレート（２４）の前記スナップカップリング要素（３２）を受け入れることの可能な連結座部（３６）を有している、請求項１に記載のシート（４）。
【請求項３】
前記座部（１２）が一対のタブ（２８）を有し、前記フレーム（８）が、組立て時に、シート平面（４０）と略平行な軸線方向（Ｘ−Ｘ）における前記座部（１２）と前記フレーム（８）との相対的なスライドをガイドする一対の側方プレート（２４）を有している、請求項１又は２に記載のシート（４）。
【請求項４】
前記座部（１２）の前記タブ（２８）が、前記座部（１２）の下壁（４８）と相俟って窪み部（４４）を区画形成し、この窪み部（４４）が、前記シート（４）の組立状態において、前記側方プレート（２４）を少なくとも部分的に収容している、請求項１〜３の何れかに記載のシート（４）。
【請求項５】
前記側方プレート（２４）と前記窪み部（４４）が、軸線方向（Ｘ−Ｘ）に沿ったプリズマティックカップリングを構成するように軸線方向（Ｘ−Ｘ）に向いている、請求項４に記載のシート（４）。
【請求項６】
前記側方プレート（２４）が、前記フレーム（８）の側縁において前記フレーム（８）から突出している、請求項１〜５の何れかに記載のシート（４）。
【請求項７】
前記スナップカップリング要素（３２）が、前記フレーム（８）に対する取付けベース（５６）と、前記座部（１２）の前記タブ（２８）の前記連結座部（３６）内にスナップ係合することの可能な自由端部（６４）を備えた片持ち可撓性アーム（６０）を有しているスプリング（５２）である、請求項１〜６の何れかに記載のシート（４）。
【請求項８】
前記取付けベース（５６）が、シート平面（４０）に邪魔にならないように、前記座部（１２）と反対側で前記支持体（１６）に向くように位置決めされている、請求項７に記載のシート（４）。
【請求項９】
使用されていない状態で、前記可撓性片持ちアーム（６０）が少なくとも部分的に前記取付けベース（５６）に向かって閉じて、前記スプリング（５２）の前記自由端部（６４）が前記取付けベース（５６）を通る平面と交わっている、請求項７又は８に記載のシート（４）。
【請求項１０】
前記プレート（２４）が、前記スナップカップリング要素（３２）の近傍で、前記スプリング（５２）の自由端部（６４）の通過を許容する貫通穴（６８）を有している、請求項７〜９の何れかに記載のシート（４）。
【請求項１１】
前記スプリング（５２）の前記自由端部（６４）が、挿入方向（Ａ）での前記シート（４）の組立中に、前記スプリング（５２）と前記座部（１２）の前記タブ（２８）のリム（７６）との接続を助長するための、側方プレート２４から離れる方向に斜めになって延びた片部（７２）を前記取付けベース（５６）と反対側に備えている、請求項７〜１０の何れかに記載のシート（４）。
【請求項１２】
前記スプリング（５２）の前記自由端部（６４）が、挿入方向（Ａ）と逆の退却方向（Ｂ）での前記フレーム（８）からの前記座部（１２）の相対的な退却を防止することのできる爪（８０）を、前記片部（７２）と反対側に有している、請求項１１に記載のシート（４）。
【請求項１３】
前記スプリング（５２）の前記可撓性片持ちアーム（６０）の長さが、前記自由端部（６４）が前記連結座部（３６）に接続された状態で、前記可撓性片持ちアーム（６０）と前記取付けベース（５６）との間の連結部（６６）が前記タブ（２８）のフロントリム（７６）に当接する最終位置に達するような長さとなって、前記座部（１２）と前記フレーム（８）とのカップリングに対する制限ストップを構成している、請求項７〜１２の何れかに記載のシート（４）。
【請求項１４】
前記スプリング（５２）が、前記座部（１２）の前記タブ（２８）のフロントリム（７６）に接続されるのに適した、前記プレート（２４）の前端部（８８）と反対側の前記プレート（２４）の後端部（８４）に配置されて、前記プレート（２４）の後端部（８４）の側で前記座部（１２）が前後方向を取り違えて前記フレーム（８）に組み合わされることを阻止する、請求項７〜１３の何れかに記載のシート（４）。
【請求項１５】
前記スプリング（５２）が、前記タブ（２８）及び前記プレート（２４）に対して撓むように粗鋼から作られている、請求項７〜１３の何れかに記載のシート（４）。
【発明の詳細な説明】
【技術分野】
【０００１】
本発明は、互いに別個に作られていて、その後に一体に組み立てられるフレームと座部とを有する、チェアー，スツール等のシートに関するものである。
【背景技術】
【０００２】
座部とフレームとを好ましくは異なった材料から個別に作成して、その後に座部とフレームとを一体に組み立てることが当業界において知られている。座部とフレームとの相互連結は、通常、フレームに形成された関連の孔に、座部に貫通させたリベット，ボルト又はネジを嵌合又は螺合させるようにそれらを用いることにより実施される。
【０００３】
然しながら、そのような構造には、組立リベッティングマシーン、又は、上述した接続手段を用いて部品を組立接続するのに熟練したスタッフが必要となるという不都合があった。
【０００４】
そのため、従来技術のシートは、最終製品が、既に組立てられ且つ使用できる状態にあるチェアー又はスツールとなるように、製造段階で通常組立てられる。
【０００５】
然しながら、そのプリアセンブルされた構造は、保管中と搬送中の双方において取り扱いにくいという欠点がある。
【０００６】
取付け装置と、フレームと座部の関連する相補的な形状部分間の形状カップリングを有する二つの個別のフレームと座部とから成るシート構造についても、同様に当業界において知られている。
【０００７】
然しながら、そのような取付け装置と形状カップリングは、経時的に安全且つ安定的な取り付けを担保するものではなく、換言すると、摩耗と不可避的な製造上のばらつきによって、座部とフレームとの間に望ましくない不都合な遊びが屡々発生する。
【０００８】
更に、公知技術の取付け装置は、シートの組立中に破損し易く、組立作業中及び後に行われる分解作業中に、屡々、摩耗によってシートを利用価値のないものにさせてしまう。
【０００９】
シートの下部、従って、非常に目につかない部分でのシートの品質低下であっても、シートに例えば高価な材料から作られた覆いが付けられている場合には許容することができない。更に、覆いが付けられたシートの場合には、カバーの摩擦や破損のために、取付け装置を機能不能にさせてしまう。
【００１０】
本発明の目的は、従来技術に関連して上述した不都合を解消することの可能なシートを提供することにある。
【００１１】
上述したような不都合及び制約は、請求項１に記載のシートによって解消される。
【００１２】
本発明によるシートのその他の実施形態については、従属項に記載されている。
【００１３】
本発明の更なる特徴及び利点については、本発明を何ら限定するものではない本発明の好ましい実施形態に関して添付図面を用いて行った下記記載を参照することにより更に容易に理解することができるであろう。
【図面の簡単な説明】
【００１４】
【図１】図１は、本発明の一実施形態に係るシートの部品が分離された状態で示されている斜視図である。
【図２】図２は、図１に示したシートの組み立てられた状態の底面図である。
【図３】図３は、図２のＩＩＩ−ＩＩＩ線に沿った、図１のシートの断面図である。
【図４】図４は、図１に示したシートの組立てプロセスの一段階を示した拡大斜視図である。
【図５】図５は、図１に示したシートの組立てプロセスの別段階を示した拡大斜視図である。
【図６】図６は、図１に示したシートの組立てプロセスの更に別の段階を示した拡大斜視図である。
【図７】図７は、組立てられた状態の、本発明の別の実施形態に係るシートの正面図である。
【図８】図８は、図７に示したシートの底面図である。
【発明を実施するための形態】
【００１５】
本発明の後述する複数の実施形態に共通の要素又は要素の部品については、添付図面において、同じ参照符号で示されている。
【００１６】
添付図面を参照すると、参照符号４はシートを示し、このシートは、例えば、チェアー，スツール，アームチェアー又はスタンプチェアーの如き如何なるタイプのものであってもよい。
【００１７】
シート４は、座部１２を支持することが可能で且つ脚の如き少なくとも一つの支持手段１６を備えたフレーム８を有している。
【００１８】
フレーム８は、好ましくは、金属から作られていて、チューブ状に形成されている。支持手段１６は、例えば、複数の脚部、アームを備えた中央支柱等の如何なるタイプのものであってもよく、キャスター等を備えていても備えていなくてもよい。
【００１９】
座部１２は、様々な形状及び寸法に形成し、様々な材料から作れていてもよく、バックレスト２０を備えていても備えていなくともよい。
【００２０】
フレーム８と座部１２は、互いに個別に作られて、以下に詳述するように、互いに取外し自在に連結させることができる。
【００２１】
有益なことに、フレーム８は、少なくとも一つの側方プレート２４を有し、座部１２は、組立状態において、側方プレート２４に少なくとも部分的に形状カップリングで引っ掛けられる少なくとも一つのタブ２８を有している。
【００２２】
有益なことに、シート４の組立状態において座部１２をフレーム８に固定させるように、プレート２４とタブ２８との関係で弾力性を有するスナップカップリング要素３２が、少なくとも一つのタブ２８と少なくとも一つの側方プレート２４との間に配置されている。
【００２３】
本発明の一実施形態によれば、少なくとも一つの側方プレート２４は、そのプレート自体と少なくとも一つのタブ２８との関係で弾力性を有するスナップカップリング要素３２を有し、タブ２８は、シート４の組立状態において座部１２をフレーム８に固定させるようにプレート２４のスナップカップリング要素３２を受け入れることの可能な連結座部３６を有している。
【００２４】
好ましくは、座部１２は一対のタブ２８を有し、フレーム８は、組立時に、シート平面４０と略平行な軸線方向Ｘ−Ｘにおいて座部１２とフレーム８との相対的なスライドをガイドする一対の側方プレート２４を有している。
【００２５】
好ましくは、側方プレート２４は、フレーム８の側縁においてフレーム８から突出するように配置されている。
【００２６】
本発明の一実施形態によれば、座部１２のタブ２８は、座部１２の下壁４８と相俟って窪み部４４を区画形成し、その窪み部４４は、シート要素４の組立状態において、側方プレート２４を少なくとも部分的に収容する。
【００２７】
好ましくは、これら側方プレート２４と窪み部４４は、軸線方向Ｘ−Ｘに沿ったプリズマティックカップリング（ｐｒｉｓｍａｔｉｃ  ｃｏｕｐｌｉｎｇ）を構成するように軸線方向Ｘ−Ｘに向けられている。プリズマティックカップリングとは、二つの接続要素間の相対的な回転を阻止する純粋な直進運動を許容するカップリングを意味するものである。
【００２８】
本発明の一実施形態によれば、スナップカップリング要素３２は、側方プレート２４に対する取付けベース５６と、座部１２のタブ２８に設けられた連結座部３６内にスナップ係合することの可能な自由端６４を備えた片持ち可撓性アーム６０を有しているスプリング５２である。可撓性アーム６０は、例えば円弧状に形成された連結部６６を介して取付けベース５６に接続されている。
【００２９】
好ましくは、取付けベース５６は、シート平面４０の邪魔にならないように、シート平面と反対側で支持手段１６の方向に向くように配置されている。
【００３０】
換言すると、取付けベース５６は、側方プレート２４とタブ２８との形状カップリングを妨げないように、フレーム８の側方プレート２４に取り付けられる。
【００３１】
好ましくは、使用されていない状態で、可撓性片持ちアーム６０は少なくとも部分的に取付けベース５６に向かって閉じているので、スプリング５２の自由端部６４は、取付けベース５６を通る平面と交わっている。
【００３２】
本発明の一実施形態によれば、プレート２４は、スナップカップリング３２の近傍に、スプリング５２の自由端部６４の通過を許容する貫通穴６を有している。
【００３３】
スプリング５２の自由端部６４は、挿入方向Ａでのシート４の組立中にスプリング５２と座部１２のタブ２８のフロントリム７６との接続を助長するための、側方プレート２４から離れる方向に斜めになって延びた片部７２を取付けベース５６と反対側に備えている。
【００３４】
スプリング５２の自由端部６４は、挿入方向Ａと逆の退却方向Ｂでのフレーム８からの座部１２の相対的な退却を防止することのできる爪８０を、片部７２と反対側に有している。
【００３５】
好ましくは、可撓性片持ちアーム６０の長さは、自由端部６４が連結座部３６に接続された状態で、座部１２とフレーム８とのカップリングに対する制限ストップが構成されるように、可撓性片持ちアーム６０と取付けベースとの間の連結部６６がタブ２８のフロントリム７６に当接する最終位置に達するような長さに設定されている。
【００３６】
好ましくは、スプリング５２は、座部１２のタブ２８のフロントリム７６に接続されるのに適した、プレート２４の前端部８８と反対側のプレート２４の後端部８４に配置されている。こうして、スプリング５２は、前後方向を取り違えて座部１２がフレーム８に組み合わされてしまうことを阻止する。
【００３７】
スプリング５２は、好ましくは、長方形の断面を有する板ばねタイプのものである。好ましくは、スプリングは、タブ２８及びプレート２４に対して撓むように粗鋼から作られている。
【００３８】
ここで、本発明によるシートの組立方法について説明する。
【００３９】
具体的には、フレーム８を組み立て、タブ２８によって区画された窪み部４４内にプレート２４の前端部８８を挿入させるようにフレーム８に対して座部１２を組み付ける（図４）。
【００４０】
プレート２４とタブ２８とのカップリング中に、カップリングが制限ストップされる部位の近くで、タブ２８のフロントリム７６がスプリング５２の自由端部６４を妨害する。この時、片持ちアーム６０が可撓性を有しているため、そのアーム６０の自由端部が座部３６とスナップ結合するようになるまで（図６）、タブのスライディングを許容するように可撓性片持ちアーム６０が弾発的に持ち上げられる（図５）。好ましいことに、制限ストップは、タブ２８のフロントリム７６とスプリング５２の連結部６６との接触と同時に起こる。
【００４１】
シート４を分解するには、スプリング５２の自由端部６４が連結座部３６から外れるようにスプリング５２を弾発押圧して、同時に、プレート２４をタブ２８から完全に引き抜くように座部１２をフレーム８に相対してスライド移動させれば十分である。
【００４２】
この目的のために、例えば、先端をスプリング５２の片持ちアーム６０と座部１２のタブ２８との間に挿入するようにスクリュードライバーを用いることができる。
【００４３】
上記した記述内容から理解することができるように、本発明によるシートは、従来技術に関連して上述した欠点を解消することを可能にさせる。
【００４４】
より詳述すると、本発明によるシートは、特に実用的であり、容易に組立て及び分解をすることができる。
【００４５】
そのカップリング／取外し要素は、座部及び存在する場合にはシートカバーに摩耗を生じさせることがない。
【００４６】
カップリング要素は、頑丈で、組立及び分解が繰り返し実施されたとしても壊れることがない。
【００４７】
カップリング要素は、小さく、シート要素の通常の使用状態においては目につかない。
【００４８】
カップリング要素の製造コストは非常に限られており、シートの全体的なコストに影響を及ぼすことはない。
【００４９】
本発明によれば、シートを簡単且つ実践的な態様で保存し且つ搬送することを可能にさせる。
【００５０】
最終的に、シートを製造するのに用いられるマシーンの数及び労力を減らすことができる。
【００５１】
特別な及び付随的な要請に応えるべく、本願の特許請求の範囲に記載された本発明の要旨を逸脱しない範囲内で、当業者が、本発明に係るシートに対して様々な修正及び変更を加えることができる。
【図１】
2013503678.tif 000003
【図２】
2013503678.tif 000004
【図３】
2013503678.tif 000005
【図４】
2013503678.tif 000006
【図５】
2013503678.tif 000007
【図６】
2013503678.tif 000008
【図７】
2013503678.tif 000009
【図８】
2013503678.tif 000010
【国際調査報告】
2013503678.tif 000011
2013503678.tif 000012